(57)【要約】【課題】フィルムレス薄葉紙入り収納箱において、蓋部開封時に収納箱が破れにくく、薄葉紙を、破れることなく滑らかに取り出すことができ、ドロップバックが生じにくい薄葉紙入り収納箱を提供する。【解決手段】ポップアップ方式で折り畳まれた薄葉紙と、薄葉紙を収容する直方体の収納箱とからなり、収納箱の上面11１ａに設けられた開裂用ミシン目12に沿って蓋部13を切り取ることによって露出する開口部14から薄葉紙20を取り出す薄葉紙入り収納箱10であって、開口部14が、上面11ａの中心Ｏから長方形の４つの角（Ａ、Ｂ、Ｃ、Ｄ）に向かって延在する長手開口部分（14ａ、14ｂ、14ｃ、14ｄ）を有してなり、開口部14における上面11ａの中心Ｏから長手開口部分の延在方向の端（ａ、ｂ、ｃ、ｄ）までの長さＬ１４が、上面11ａにおける中心Ｏから角までの長さＬ１１の７０％以上９０％以下であり、長手開口部分の幅Ｗ１４が１０mm以上３０mm以下である。【選択図】図３
2020070072.tif 000002
【特許請求の範囲】
【請求項１】
ポップアップ方式で折り畳まれた薄葉紙と、該薄葉紙を収容する直方体の収納箱とからなり、前記収納箱の上面に設けられた開裂用ミシン目に沿って蓋部を取り除くことによって露出する開口部から前記薄葉紙を取り出す薄葉紙入り収納箱であって、
前記開口部が、前記上面の中心から長方形の４つの角に向かって延在する長手開口部分を有してなり、
前記開口部における前記上面の中心から前記長手開口部分の延在方向の端までの長さが、前記上面における前記中心から前記角までの長さの７０％以上９０％以下であり、
前記長手開口部分の幅が１０ｍｍ以上３０ｍｍ以下である薄葉紙入り収納箱。
【請求項２】
前記収納箱の原紙坪量が、２６０ｇ／ｍ２以上３８０ｇ／ｍ２以下である請求項１記載の薄葉紙入り収納箱。
【請求項３】
前記上面の面積に対する前記開口部の割合が、１５％以上５０％以下である請求項１又は２記載の薄葉紙入り収納箱。
【請求項４】
隣り合う２つの前記長手開口部分によって構成される４つの自由端部の角が、Ｒ形状である請求項１から３いずれか１項記載の薄葉紙入り収納箱。
【請求項５】
前記４つの自由端部のうち、前記上面の長辺方向の端部に向かって凸状である２つの前記自由端部の曲率半径が、１００ｃｍ以上１４０ｃｍ以下である請求項１から４いずれか１項記載の薄葉紙入り収納箱。
【請求項６】
前記上面の長辺方向における２つの前記自由端部間の距離が、５ｍｍ以上３０ｍｍ以下である請求項１から５いずれか１項記載の薄葉紙入り収納箱。
【請求項７】
前記収納箱の長辺方向の長さが１６０ｍｍ以上２５０ｍｍ以下であり、短辺方向の長さが１００ｍｍ以上１２０ｍｍ以下である請求項１から６いずれか１項記載の薄葉紙入り収納箱。
【請求項８】
薄葉紙占有率が、８０％以上９５％以下である請求項１から７いずれか１項記載の薄葉紙入り収納箱。
【請求項９】
薄葉紙充填率が、３．５ｇ／ｍｍ以上５．５ｇ／ｍｍ以下である請求項１から８いずれか１項記載の薄葉紙入り収納箱。
【発明の詳細な説明】
【技術分野】
【０００１】
本発明は、薄葉紙入り収納箱に関する。
【背景技術】
【０００２】
近年、薄葉紙が紙等の収容箱（収納箱）に収容されたティッシュ収納箱は、軽量化及びコンパクト化が進められている。生産者にとっては、収納箱の生産コスト、製品輸送コストを削減することができ、消費者にとっては、商品購入時の持ち帰り作業の簡易化、及び、家での保管スペースの削減等が可能となる。
ところで、薄葉紙収納箱には薄葉紙の取出し口にフィルムが設けられているが、ごみの分別化により、フィルムを収納箱から外して捨てる必要がある。そこで、近年は、取出し口のフィルムレス化が進んでいる。
また、同じサイズの箱でも薄葉紙が多く入った大容量の商品が好まれている。
上記の傾向から、できるだけ小さいフィルムレス収納箱に、できるだけ多くの薄葉紙が入った商品が求められている。
【先行技術文献】
【特許文献】
【０００３】
【特許文献１】特開２０００−５３１７６号公報
【発明の概要】
【発明が解決しようとする課題】
【０００４】
しかしながら、コンパクト収納箱に薄葉紙を多く詰めた「薄葉紙充填率」の高い製品は、薄葉紙を１組取り出す際、次の１組に挟まれた部分がなめらかに出てきにくく、薄葉紙が破れやすいという問題がある。また、できるだけ底面積の小さい収納箱に、できるだけ面積の広い薄葉紙を詰めた「薄葉紙占有率」の高い製品も、上記同様の問題がある。
また、フィルムレスの取出し口は、一般に、略長方形又はやや膨らんだ長方形であり、収納箱の上面に形成された開裂用ミシン目を開封することで現れる。このような取出し口は、端に開裂用ミシン目の凹凸があるため、その凹凸と薄葉紙との摩擦によって、薄葉紙を取り出す際に薄葉紙が破れやすいという問題がある。
【０００５】
一方で、取出し口にフィルムがないと、中身の薄葉紙が少なくなった場合、薄葉紙を支持するものがないため、薄葉紙が収納箱の内部に落ちてしまう、ドロップバックという現象が生じる。
さらに、従来の長方形の取出し口では、大容量化した場合、収納箱の上面の４角近傍において、上部の数組の薄葉紙が圧迫されており、取り出しにくい、又は破れるという問題がある。この問題の解決を図るために、取出し口を収納箱の端近傍まで形成することが考えられるが、収納箱の端近傍まで取出し口を形成すると、取出し口を塞いでいる蓋部を取り除くときに、取出し口の大きさ以上に収納箱を破ってしまうという可能性がある。
【０００６】
本発明は、上記事情に鑑みてなされたものであり、薄葉紙がフィルムレス収納箱に収容された薄葉紙入り収納箱において、蓋部開封時に収納箱が破れにくく、薄葉紙を、破れることなく滑らかに取り出すことができ、ドロップバックが生じにくい薄葉紙入り収納箱を提供することを目的とする。
【課題を解決するための手段】
【０００７】
本発明の発明者は、鋭意検討を行った結果、収納箱の取出し口を特定の形状とすることにより、フィルムレス収納箱から薄葉紙を破れることなく滑らかに取り出すことができることを見出し、本発明に至った。
【０００８】
すなわち、本発明は、ポップアップ方式で折り畳まれた薄葉紙と、該薄葉紙を収容する直方体の収納箱とからなり、前記収納箱の上面に設けられた開裂用ミシン目に沿って蓋部を取り除くことによって露出する開口部から前記薄葉紙を取り出す薄葉紙入り収納箱であって、前記開口部が、前記上面の中心から長方形の４つの角に向かって延在する長手開口部分を有してなり、前記開口部における前記上面の中心から前記長手開口部分の延在方向の端までの長さが、前記上面における前記中心から前記角までの長さの７０％以上９０％以下であり、前記長手開口部分の幅が１０ｍｍ以上３０ｍｍ以下である薄葉紙入り収納箱。
ここで、「長手開口部分の幅」とは、長手開口部分の最大幅を示す部分での幅を意味する。
【０００９】
前記収納箱の原紙坪量は、２６０ｇ／ｍ２以上３８０ｇ／ｍ２以下であることが好ましい。
【００１０】
前記上面の面積に対する前記開口部の割合は、１５％以上５０％以下であることが好ましい。
【００１１】
隣り合う２つの前記長手開口部分によって構成される４つの自由端部の角は、Ｒ形状であることが好ましい。
【００１２】
前記４つの自由端部のうち、前記上面の長辺方向の端部に向かって凸状である２つの前記自由端部の曲率半径は、１００ｃｍ以上１４０ｃｍ以下であることが好ましい。
【００１３】
前記上面の長辺方向における２つの前記自由端部間の距離は、５ｍｍ以上３０ｍｍ以下であることが好ましい。
ここで、自由端部間の距離とは、最短距離を意味する。
【００１４】
前記収納箱の長辺方向の長さは１６０ｍｍ以上２５０ｍｍ以下であり、短辺方向の長さは１００ｍｍ以上１２０ｍｍ以下であることが好ましい。
【００１５】
薄葉紙占有率は、８０％以上９５％以下であることが好ましい。
ここで、薄葉紙占有率とは、「薄葉紙の面積／２／収納箱の底面積」で求められる値を意味する。薄葉紙の面積とは、収納箱に収容する前（折り畳む前）の薄葉紙の面積を意味する。
【００１６】
薄葉紙充填率は、３．５ｇ／ｍｍ以上５．５ｇ／ｍｍ以下であることが好ましい。
ここで、薄葉紙充填率とは、「収容された薄葉紙の質量（ｇ）／収納箱の高さ（ｍｍ）」で求められる値を意味する。
【発明の効果】
【００１７】
本発明によれば、薄葉紙がフィルムレスの収納箱に収容された薄葉紙入り収納箱において、蓋部開封時に収納箱が破れにくく、薄葉紙を、破れることなく滑らかに取り出すことができ、かつドロップバックが生じにくい。
【図面の簡単な説明】
【００１８】
【図１】本発明の薄葉紙入り収納箱の一実施形態を示す斜視図ある。
【図２】一実施形態の収納箱から薄葉紙を取り出した状態を示す斜視図である。
【図３】本発明における収納箱の上面図である。
【発明を実施するための形態】
【００１９】
以下、添付図面を参照して、本発明を実施するための形態について、詳細に説明する。なお、本発明の実施形態の説明の全体を通して、同じ要素には同じ符号を付している。
【００２０】
［薄葉紙入り収納箱］
図２に示すように、本発明の薄葉紙入り収納箱１０は、ポップアップ方式で折り畳まれた薄葉紙２０と、薄葉紙２０を収容する直方体の収納箱１１とからなる。
収納箱１１の上面１１ａに設けられた開裂用ミシン目１２に沿って蓋部１３を取り除くことによって露出する開口部１４（図２参照）から薄葉紙２０を取り出すものである。
【００２１】
開口部１４は、図３に示すように、収納箱１１の上面１１ａの中心Ｏから長方形の４つの角（Ａ、Ｂ、Ｃ、Ｄ）に向かって延在する長手開口部分（１４ａ、１４ｂ、１４ｃ、１４ｄ）を有してなるものである。
開口部１４における上面１１ａの中心Ｏから長手開口部分（１４ａ、１４ｂ、１４ｃ、１４ｄ）の延在方向の端（ａ、ｂ、ｃ、ｄ）までの長さＬ１４が、上面１１ａにおける中心Ｏから角（Ａ、Ｂ、Ｃ、Ｄ）までの長さＬ１１の７０％以上９０％以下であり、長手開口部分（１４ａ、１４ｂ、１４ｃ、１４ｄ）の幅Ｗ１４が１０ｍｍ以上３０ｍｍ以下である。
ここで、「長手開口部分の幅Ｗ１４」とは、長手開口部分の最大幅を示す部分での幅を意味する。
【００２２】
（収納箱）
本発明の薄葉紙入り収納箱１０における収納箱１１は、紙製の直方体である。
−収納箱のサイズ−
図１に示すように、収納箱１１の長辺の長さＬＣは、１６０ｍｍ以上２５０ｍｍ以下であることが好ましく、１８０ｍｍ以上２４０ｍｍ以下であることがより好ましい。
また、収納箱１１の短辺の長さＷＣ（図１中Ｙ方向）は、１００ｍｍ以上１２０ｍｍ以下であることが好ましく、１０５ｍｍ以上１１５ｍｍ以下であることがより好ましい。
またさらに、収納箱１１の高さＨＣは、３５ｍｍ以上６５ｍｍ以下であることが好ましく、４０ｍｍ以上５０ｍｍ以下であることがより好ましい。
長辺の長さＬＣ及び短辺の長さＷＣの好ましい組み合わせは、長辺の長さＬＣが１６０ｍｍ以上２５０ｍｍ以下であり、短辺方向の長さＷＣが１００ｍｍ以上１２０ｍｍ以下である。
【００２３】
−取出し口−
収納箱１１は、上面１１ａには、薄葉紙２０を取り出す開口部１４が設けられている。開口部１４は、図３に示すように、上面１１ａの中心Ｏから長方形の４つの角（Ａ、Ｂ、Ｃ、Ｄ）に向かって延在する長手開口部分（１４ａ、１４ｂ、１４ｃ、１４ｄ）を有してなる。
図２に示すように、開口部１４における上面１１ａの中心Ｏから長手開口部分（１４ａ、１４ｂ、１４ｃ、１４ｄ）の延在方向の端（ａ、ｂ、ｃ、ｄ）までの長さＬ１４は、上面１１ａにおける中心Ｏから角（Ａ、Ｂ、Ｃ、Ｄ）までの長さＬ１１の７０％以上９０％以下である。
薄葉紙２０を大容量化すると、収納箱１１の上面１１ａの角（Ａ、Ｂ、Ｃ、Ｄ）と長手開口部分（１４ａ、１４ｂ、１４ｃ、１４ｄ）の延在方向の端（ａ、ｂ、ｃ、ｄ）との間、すなわち、図３に符号１６で示す領域において、薄葉紙２０が収納箱１１の上面１１ａに圧迫されて取り出しにくい。しかしながら、長さＬ１４が上記範囲であることにより、大容量化しても、収納箱１１の上面１１ａの角（Ａ、Ｂ、Ｃ、Ｄ）で薄葉紙２０が圧迫されることがないため、薄葉紙２０を滑らかに取り出すことができ、破れを防止することができる。
【００２４】
また、長手開口部分（１４ａ、１４ｂ、１４ｃ、１４ｄ）が長すぎると、収納箱１１の上面１１ａの４角（Ａ、Ｂ、Ｃ、Ｄ）近傍において、収納箱の上面１１ａの角（Ａ、Ｂ、Ｃ、Ｄ）と長手開口部分（１４ａ、１４ｂ、１４ｃ、１４ｄ）の延在方向の端（ａ、ｂ、ｃ、ｄ）までの距離ＬＳ（図３参照）が小さくなる。距離ＬＳが小さすぎると、開裂用ミシン目１２を開封して、蓋部１３の一部を摘まんで引き上げる際に、領域１６の収納箱が破れ易いが、長さＬ１４が上記範囲であることにより、収納箱が破れにくいという利点がある。
長さＬ１４は、上面１１ａにおける中心Ｏから角（Ａ、Ｂ、Ｃ、Ｄ）までの長さＬ１１の７２％以上８８％以下であることが好ましく、７５％以上８５％以下であることがより好ましい。
【００２５】
開口部１４の長手開口部分（１４ａ、１４ｂ、１４ｃ、１４ｄ）の幅Ｗ１４は、１０ｍｍ以上３０ｍｍ以下である。幅Ｗ１４が１０ｍｍ以上３０ｍｍ以下であることにより、薄葉紙２０を垂直方向に引き出すと、薄葉紙２０の端が長手開口部分（１４ａ、１４ｂ、１４ｃ、１４ｄ）のいくつかを通りながら引き出されるため、薄葉紙２０が開口部の開裂用ミシン目１２に引っ掛かることがないので、取り出しやすく、破れを防止することができる。
幅Ｗ１４は、１２ｍｍ以上２８ｍｍ以下であることが好ましく、１５ｍｍ以上２５ｍｍ以下であることがより好ましい。
【００２６】
また、上面１１ａの面積（ＬＣ×ＷＣ）に対する開口部１４の割合は、１５％以上５０％以下であることが好ましく、２０％以上４０％以下であることがより好ましい。開口部１４の割合が上記範囲であることにより、薄葉紙を取り出しやすく、破れを防止することができる。
【００２７】
隣り合う２つの長手開口部分（１４ａ、１４ｂ、１４ｃ、１４ｄ）によって構成される４つの自由端部の角（１５ａ、１５ｂ、１５ｃ、１５ｄ）は、Ｒ形状であることが好ましい。
さらに、４つの自由端部のうち、上面１１ａの長辺方向Ｘの端部に向かって凸状である２つの自由端部（１５ｂ及び１５ｄ）の曲率半径は、１００ｃｍ以上１４０ｃｍ以下であることが好ましく、１０５ｃｍ以上１３０ｃｍ以下がより好ましい。２つの自由端部（１５ｂ及び１５ｄ）の曲率半径が、上記範囲であることにより、薄葉紙２０を破れることなく取出し易く、また、次の組の薄葉紙２０を、自由端部が支持する態様となるので、垂直方向に起立させることができ、掴み易い。
【００２８】
上面１１ａの長辺方向Ｘにおける２つの自由端部間の距離、すなわち、自由端部１５ｂと１５ｄ間の距離Ｗ１５は、５ｍｍ以上３０ｍｍ以下であることが好ましく、７ｍｍ以上２０ｍｍ以下がより好ましい。自由端部間の距離Ｗ１５が、上記範囲であることにより、薄葉紙２０を、破れることなく取り出し易い。また、取り出した薄葉紙２０の次の組の薄葉紙２０を、その２つの自由端部（１５ｂ、１５ｄ）間で、起立した状態に保持することができるため、収納箱１１の中の薄葉紙２０の量が減ってもドロップバックすることがない。
【００２９】
−坪量−
収納箱１１の坪量は、２６０ｇ／ｍ２以上３８０ｇ／ｍ２以下であることが好ましく、２７０ｇ／ｍ２以上３６０ｇ／ｍ２以下であることがより好ましく、２８０ｇ／ｍ２以上３４０ｇ／ｍ２以下であることが更に好ましい。収納箱１１の坪量を上記の範囲内のものとすることにより、上面１１ａの長辺方向Ｘの端部に向かって凸状である２つの自由端部（１５ｂ及び１５ｄ）が、薄葉紙を取り出す際に適度にしなり、薄葉紙の取り出しやすさが良化し、破れやすさが低減する。また、収納箱１１の強度を維持して収納箱１１を潰れにくくできるとともに、収納箱１１の製函性も良好に維持される。
なお、製函性とは、収納箱１を二つ折りにした状態から四角柱状の筒体に変形させる際の起函しやすさや、起函後に収納箱１１に薄葉紙２０の積層体を収容（充填）する際、短辺側フラップ及び高さ側フラップを折り重ねる際の開口の封緘しやすさをいう。
なお、収納箱１１の坪量は、ＪＩＳ  Ｐ  ８１２４に基づいて測定する。
【００３０】
−密度−
収納箱１１の密度は、０．７０ｇ／ｃｍ３以上１．００ｇ／ｃｍ３以下であることが好ましく、０．７５ｇ／ｃｍ３以上１．００ｇ／ｃｍ３以下であることがより好ましく、０．８０ｇ／ｃｍ３以上０．９５ｇ／ｃｍ３以下であることが最も好ましい。収納箱１１の密度が上記の範囲内であることにより、収納箱１１の蓋部１３をミシン目１２に沿って開封する際、領域１６の収納箱が破れにくく、また、収納箱１１用の紙型に罫線（折り曲げ線）を入れ易くすることができ、製箱性を良好に維持することができる。
なお、密度は、ＪＩＳ  Ｐ  ８１１８に基づいて測定する。
【００３１】
（薄葉紙）
−紙厚、坪量−
本発明の薄葉紙２０における、紙厚は、０．４０ｍｍ／１０枚以上０．８０ｍｍ／１０枚以下であり、０．４２ｍｍ／１０枚以上０．７０ｍｍ／１０枚以下であることが好ましく、０．４５ｍｍ／１０枚以上０．８０ｍｍ／１０枚以下であることがより好ましい。なお、上記の紙厚は、１プライのシートを１０枚（２プライのシートを５組）重ねたときの紙厚を示す。
【００３２】
また、本発明の薄葉紙２０における、シート１プライあたりの坪量は、９．０ｇ／ｍ２以上１６．０ｇ／ｍ２以下であり、９．５ｇ／ｍ２以上１４．０ｇ／ｍ２以下であることが好ましく、１０．０ｇ／ｍ２以上１３．０ｇ／ｍ２以下であることがより好ましい。薄葉紙２０の紙厚やシート１プライあたりの坪量を上記の範囲内のものとすることにより、柔らかさとボリューム感及び収納箱１１のコンパクトさとが両立可能なものとなる。また、薄葉紙２０を収納箱１１から取り出す際、破れにくく取り出しやすい。なお、上記の坪量及び紙厚は、薄葉紙２０自体のものであって、薬液が塗布された状態の薄葉紙２０についての坪量及び紙厚を意味する。
【００３３】
−ＴＳ７−
本発明の薄葉紙２０は、ティッシュソフトネス測定装置ＴＳＡ上のソフトウェアにて自動的に取得した、６５００Ｈｚを含むスペクトルの極大ピークの強度（ＴＳ７）が１０．０ｄＢＶ２ｒｍｓ以上１５．０ｄＢＶ２ｒｍｓ以下であることが好ましく、１０．５ｄＢＶ２ｒｍｓ以上１４．５ｄＢＶ２ｒｍｓ以下であることがより好ましく、１１．０ｄＢＶ２ｒｍｓ以上１４．０ｄＢＶ２ｒｍｓ以下であることが更に好ましい。このＴＳ７は、薄葉紙２０の柔らかさの指標であり、ＴＳ７が上記の範囲内のものとなることにより、薄葉紙２０の柔らかさと強度（破れにくさ）がバランスよく維持される。
【００３４】
ティッシュソフトネス測定装置ＴＳＡを使用したＴＳ７の測定方法や、これに用いられる測定装置については、例えば、特開２０１３−２３６９０４号公報に詳細に記載されている。
【００３５】
−比容積−
本発明の薄葉紙２０の比容積は、１組あたり３．０ｃｍ３／ｇ以上６．０ｃｍ３／ｇ以下であることが好ましく、４．０ｃｍ３／ｇ以上５．８ｃｍ３／ｇ以下であることがより好ましく、４．５ｃｍ３／ｇ以上５．５ｃｍ３／ｇ以下であることが更に好ましい。薄葉紙２０の比容積を上記の範囲内のものとすることにより、ふんわり感、柔らかさ、嵩高さがバランスよく維持され、滑らかさが良好なものとなり、薄葉紙２０を収納箱１１から取り出す際の摩擦が低減し、破れにくく取り出しやすい。比容積は、例えば、坪量や紙厚を調整することにより、調整することができる。
【００３６】
−引き出し方向の直角方向の強度（ＤＭＤＴ）−
本発明の薄葉紙２０は、ＪＩＳ  Ｐ  ８１１３に基づく乾燥時の縦方向の引張強さ（引張り速度３００ｍｍ／分で測定）ＤＭＤＴ（Ｄｒｙ  Ｍａｃｈｉｎｅ  Ｄｉｒｅｃｔｉｏｎ  Ｔｅｎｓｉｌｅ  ｓｔｒｅｎｇｔｈ）が３．０Ｎ／２５ｍｍ以上６．０Ｎ／２５ｍｍ以下であることが好ましく、３．５Ｎ／２５ｍｍ以上５．５Ｎ／２５ｍｍ以下であることがより好ましく、３．８Ｎ／２５ｍｍ以上５．３Ｎ／２５ｍｍ以下であることが更に好ましい。ＤＭＤＴを上記の範囲にすることで、柔らかさが良好になり、薄葉紙２０を収納箱１１から取り出す際、破れにくく取り出しやすい。また、生産時にＭＤ（Ｍａｃｈｉｎｅ  Ｄｉｒｅｃｔｉｏｎ）方向に破れにくくなる。
【００３７】
−引き出し方向の強度（ＤＣＤＴ）−
本発明の薄葉紙２０は、乾燥時の横方向の引張強さ（引張り速度３００ｍｍ／分で測定）ＤＣＤＴ（Ｄｒｙ  Ｃｒｏｓｓ  Ｄｉｒｅｃｔｉｏｎ  Ｔｅｎｓｉｌｅ  ｓｔｒｅｎｇｔｈ）が０．８Ｎ／２５ｍｍ以上２．０Ｎ／２５ｍｍ以下であることが好ましく、１．０Ｎ／２５ｍｍ以上１．８Ｎ／２５ｍｍ以下であることがより好ましく、１．１Ｎ／２５ｍｍ以上１．７Ｎ／２５ｍｍ以下であることが更に好ましい。ＤＣＤＴを上記の範囲にすることで、薄葉紙２０の引き出し時に破れにくくなる。
【００３８】
−ＤＭＤＴ測定時の引張破断伸び−
本発明の薄葉紙２０は、薬液の塗工後のＤＭＤＴ測定時の引張破断伸び（以下、「縦伸び」とも称する）が８．０％以上１８．０％以下であることが好ましく、８．５％以上１７．２％以下であることがより好ましく、９．５％以上１５．２％以下であることが更に好ましい。ここで、縦伸びが低いと薄葉紙２０が破れやすくなり、高いと紙厚が高くなって収納箱１１がコンパクトになり難い。この点、上記のような範囲の縦伸びを実現することで、薄葉紙２０が破れやすくなることを抑制しつつ、収納箱１１のコンパクト化を図ることができる。
【００３９】
なお、上記のような範囲の縦伸びを実現するためには、原紙のクレープ率を高くすることが有利となる。例えば、原紙のクレープ率は、１５％以上３６％以下であることが好ましく、１８％以上３２％以下であることがより好ましく、２１％以上２８％以下であることが更に好ましい。
【００４０】
−薬液−
本発明の薄葉紙２０は、薬液を含有してもよい。薬液としては、水性成分と油性成分とを含むものであり、さらに、水を含んでいることが好ましい。なお、別の態様では、薬液としては、水性成分及び油性成分のいずれか一方だけを含むこととしてもよい。
【００４１】
−水性成分−
水性成分としては、多価アルコール（２価以上の水酸基を有するアルコール）を挙げることができる。より具体的には、グリセリン、ジグリセリン、エチレングリコール、プロピレングリコール、１，３−ブチレングリコール、ポリグリセリン、ポリエチレングリコール、ポリプロピレングリコール、ソルビトール、キシリトール、エリスリトール等を挙げることができる。なお、上記の多価アルコールは、１種類を配合しても、２種類以上配合してもよい。
【００４２】
−油性成分−
油性成分としては、各種シリコーン油、流動パラフィン、鉱物油、ワックス等を挙げることができる。これらの成分は、１種類を配合しても、２種類以上配合してもよい。これらの成分は、薄葉紙２０の滑らかさに寄与する。本発明においては、特に、この油性成分がシリコーン油であることが好ましく、アミノ変性シリコーン油であることがより好ましい。
【００４３】
−薬液含有量（ローション含有量）−
本発明の薄葉紙２０中の薬液含有量は、１１質量％以上１９質量％以下であることが好ましく、１３質量％以上１７質量％以下であることがより好ましく、１４質量％以上１６質量％以下であることが更に好ましい。
【００４４】
また、本発明の薄葉紙２０は、１プライあたりの薬液含有量が、１．７ｇ／ｍ２以上３．７ｇ／ｍ２以下であることが好ましく、２．０ｇ／ｍ２以上３．２ｇ／ｍ２以下であることがより好ましく、２．３ｇ／ｍ２以上２．９ｇ／ｍ２以下であることが更に好ましい。
【００４５】
薬液含有量を上記の範囲内のものとすることにより、薄葉紙２０の柔らかさ、滑らかさ及びしっとり感が良好なものとなるとともに、強度（破れにくさ）が良好に維持される。
【００４６】
なお、薬液含有量は、次の測定方法により求める。薄葉紙２０を５ｇ採取し、乾燥機（１０５℃）で１２０分乾燥させ、その後、デシケーターで３０分放冷し、質量を測定する。このときの測定質量をｍ１とする。次に、質量を測定した薄葉紙２０及び抽出溶媒（アセトン：エタノール＝１：１）１５０ｍｌを用いて４時間、ソックスレー抽出を行う。得られた抽出物を湯浴上で加熱濃縮し、乾燥機（１０５℃）で９０分乾燥させ、その後デシケーターで３０分放冷し、質量を測定する。このときの測定質量をｍ２とする。そして、得られた２つの測定質量ｍ１、ｍ２を用いて、ｍ２／ｍ１×１００（％）を薬液含有量（ローション含有量［％］）とする。また、１プライあたりの坪量×ローション含有量＝薬液含有量（ローション含有量）（ｇ／ｍ２）とする。
【００４７】
−原料−
薄葉紙２０を構成する２プライのシートは、パルプを主成分とするものであり、好ましくは、５０質量％以上のパルプを含有する。薄葉紙２０の製造に使用できるパルプとしては、木材パルプ、古紙パルプ、非木材パルプが挙げられるが、本発明における薄葉紙２０は、パルプとして木材パルプ１００％から成るものであってもよく、木材パルプの他に、古紙パルプや非木材パルプを含んでいてもよい。パルプ以外の成分としては、填料、合成繊維、天然繊維等を挙げることができる。目標とする品質を得るためには、針葉樹晒クラフトパルプ（ＮＢＫＰ）１０質量％以上４０質量％以下と、広葉樹晒クラフトパルプ（ＬＢＫＰ）６０質量％以上９０質量％以下とからなる木材パルプを原料とすることが好ましく、ＮＢＫＰ：１５質量％以上３５質量％以下と、ＬＢＫＰ：６５質量％以上８５質量％以下とからなる木材パルプを原料とすることがより好ましく、ＮＢＫＰ：２０質量％以上３０質量％以下と、ＬＢＫＰ：７０質量％以上８０質量％以下とからなる木材パルプを原料とすることが更に好ましい。
【００４８】
上記ＬＢＫＰの材種としては、ユーカリ属グランディス及びユーカリグロビュラスに代表される、フトモモ科ユーカリ属から製造されるパルプが好ましい。また、上記のパルプ比率の木材パルプ１００質量部に対し、古紙パルプを５０質量部程度まで含有させてもよい。古紙パルプは品質のバラツキが大きく、配合割合が増えると製品の品質、特に柔らかさに大きく影響するため、木材パルプに対する配合量を３０質量部以下とすることが好ましく、１５質量部以下とすることがより好ましく、５質量部以下とすることが更に好ましく、古紙パルプを配合しないことが最も好ましい。古紙パルプとしてはミルク収納箱等の紙製液体飲料容器由来が好ましい。
【００４９】
なお、薄葉紙２０に適正な強度を確保するため、通常の手段で原料配合した後、パルプ繊維の叩解処理にて強度調整を行うことができる。目標の品質を得るための叩解処理としては、種箱原料のろ水度（ｃｓｆ）が３５０ｍｌ以上６５０ｍｌ以下、好ましくは４００ｍｌ以上６００ｍｌ以下、より好ましくは４５０ｍｌ以上５５０ｍｌ以下にすることが好ましい。なお、乾燥紙力増強剤を使用してもよく、湿潤紙力増強剤を使用することが好ましい。
上記のパルプ配合、ろ水度に調整することで、本発明のように、薄葉紙２０の組数が多くても収納箱高さをコンパクト化し、触感を良好とする中で、一定の範囲のローション含有量にしたときに薄葉紙２０の触感を良好にでき、コンパクトな収納箱に組数が多いクリップを挿入してもスネーク状態になりにくくなる。
【００５０】
−薄葉紙のシート幅−
本発明の薄葉紙２０のシート幅Ｌ２０（図１参照）は、１６０ｍｍ以上２５０ｍｍ以下であることが好ましく、１８０ｍｍ以上２４０ｍｍ以下であることがより好ましく、２００ｍｍ以上２３０ｍｍ以下であることが更に好ましい。
なお、本発明の薄葉紙２０の短辺方向のシート長（折りたたみ前の状態又は折られた薄葉紙２０を広げた状態での、Ｙ方向における寸法）は、１５０ｍｍ以上２４０ｍｍ以下であることが好ましく、１６０ｍｍ以上２３０ｍｍ以下であることがより好ましく、１８０ｍｍ以上２２０ｍｍ以下であることが更に好ましい。シート幅Ｌ２０とシート長を上記範囲にすることにより、本発明の収納箱高さの収納箱１１に、組数の多い本発明の薄葉紙２０のクリップを挿入する際に適したシート幅と長さになり、スネーク状態と引き出し性が良好になる。
【００５１】
−薄葉紙占有率−
本発明において、薄葉紙占有率は、８０％以上９５％以下であることが好ましく、８５％以上９３％以下がより好ましい。薄葉紙占有率が上記範囲であることにより、収納箱の底面積がコンパクトでありながら、破れることなく、滑らかにティシュペーパーを取り出すことができる。
【００５２】
−薄葉紙充填率−
本発明において、薄葉紙充填率は、３．５ｇ／ｍｍ以上５．５ｇ／ｍｍ以下が好ましく、３．８ｇ／ｍｍ以上５．２ｇ／ｍｍ以下がより好ましい。薄葉紙充填率が上記範囲であることにより、高さの低いコンパクトな収納箱に大容量のティシュペーパーを詰めても、ティッシュペーパーが収納箱の天面から圧迫される圧力が小さく、ティッシュペーパーを破れることなく、滑らかに取り出すことができる。
【実施例】
【００５３】
［実施例及び比較例］
薄葉紙の一例である、以下の特性を有するティッシュペーパー（以下、「ティッシュ」と略する）を製造した。次に、表１に示す特性を有する、紙製の収納箱に、ティッシュの引き出し方向がＣＤ方向となるようにマルチスタンド式インターフォルダにて所定の組数で積層して収容した。
（薄葉紙）
坪量：１０．４g/ｍ２
紙厚：０．５５ｍｍ/１０枚
ＴＳ７：１３．０ｄＢＶ２ｒｍｓ
比容積：５．３ｃｍ３／ｇ
ＤＭＤＴ：４．８Ｎ／２５ｍｍ
ＤＣＤＴ：１．５Ｎ／２５ｍｍ
薬液：塗布なし
【００５４】
［評価］
以下の項目について官能評価を行った。
（蓋部開封時の収納箱の破れやすさ）
モニター１０人により、蓋部を開封した時の収納箱の破れやすさを、以下の評価基準で評価した。
Ａ：１０人全員が破れる心配はないと評価した
Ｂ：収納箱は破れなかったが、やや不安を感じる人が１〜２名であった
Ｃ：収納箱が破れた人が１名以上いた
【００５５】
（薄葉紙の取り出しやすさ）
モニター１０人により、１組目のティッシュの取り出しやすさを、以下の評価基準で評価した。
Ａ：１０人全員がつかみやすく取り出しやすいと評価した
Ｂ：１０人中３人以上が問題なく取り出せたと評価し、それ以外の人がつかみやすく取出しやすいと評価した
Ｃ：３名以上が取り出しづらいと評価した（それ以外の人の評価に関わらない）
【００５６】
（薄葉紙取り出し時の破れやすさ）
モニター１人が、各実施例及び比較例につき４収納箱ずつ、引き出し動作を最後の組まで行い、以下の評価基準で評価した。
Ａ：最後まで使っても破れなかった
Ｂ：最後まで使うと破れが１収納箱につき１〜２回発生した
Ｃ：最後まで使うと３回以上破れた
【００５７】
（ドロップバックの頻度）
モニター１人が、各実施例及び比較例につき４収納箱ずつ、引き出し動作を最後の組まで行い、以下の評価基準で評価した。
Ａ：ドロップバックが１度も起こらなかった
Ｂ：１収納箱につき１〜２回起こった
Ｃ：１収納箱につき３回以上起こった
【００５８】
【表１】
2020070072.tif 000003
【００５９】
表１に示すように、本発明の薄葉紙入り収納箱は、蓋部開封時の収納箱の破れやすさ、薄葉紙の取り出しやすさ、薄葉紙の取り出し時の破れやすさ、ドロップバックの頻度の全て評価項目で、良好な結果を得ることができた。
【符号の説明】
【００６０】
１０    薄葉紙入り収納箱
１１    収納箱
１１ａ    上面
１２    開裂用ミシン目
１３    蓋部
１４    開口部
１４ａ、１４ｂ、１４ｃ、１４ｄ    長手開口部分
１５ａ、１５ｂ、１５ｃ、１５ｄ    自由端部の角
２０    薄葉紙
Ａ、Ｂ、Ｃ、Ｄ    角
ａ、ｂ、ｃ、ｄ    長手開口部分の延在方向の端
Ｏ  上面の中心
ＬＣ    収納箱の長辺の長さ
ＷＣ    収納箱の短辺の長さ
ＨＣ    収納箱の高さ
Ｌ１１    上面の中心から角までの長さ
Ｌ１４    上面の中心から長手開口部分の延在方向の端までの長さ
Ｗ１４    長手開口部分の幅
Ｗ１５    上面の長辺方向における２つの自由端部間の距離
Ｌ２０    薄葉紙のシート幅
【図１】
2020070072.tif 000004
【図２】
2020070072.tif 000005
【図３】
2020070072.tif 000006